(57)【要約】【課題】手書きされた情報を読み取ることが可能なディスク装置を提供すること。【解決手段】スパイラル状のトラックが配置された情報記録面を備えたディスク媒体から情報を読み取るディスク装置であって、ディスク媒体に対して光ビームを照射する照射手段（２０１）と、前記照射手段により照射され、前記ディスク媒体から反射された反射光を検出する反射光検出手段（２０２）と、前記反射光検出手段により検出された反射光に基づき、前記情報記録面上のデータエリアに記録された記録マークに反映されたデータを読み取る第１の読取手段（２０３）と、前記検出手段により検出された反射光に基づき、前記情報記録面上の手書きエリアに記録された手書き情報の濃淡を読み取る第２の読取手段（２０９）とを備えている。【選択図】    図２
2004213806.tif 000002
【特許請求の範囲】
【請求項１】
スパイラル状のトラックが配置された情報記録面と、
前記情報記録面上に規定されたエリアであって、このエリアの前記トラックに対して記録マークの記録が許可されたデータエリアと、
前記情報記録面上に規定されたエリアであって、手書き情報の記録が許可された手書きエリアと、
を備えたことを特徴とするディスク媒体。
【請求項２】
前記情報記録面上に設けられたマークであって、前記データエリア及び前記手書きエリアを視覚的に区別する境界マークを備えたことを特徴とする請求項１に記載のディスク媒体。
【請求項３】
前記情報記録面上に設けられたマークであって、ディスク中心からの基準角を示す角度マークを備えたことを特徴とする請求項１に記載のディスク媒体。
【請求項４】
スパイラル状のトラックが配置された情報記録面を備えたディスク媒体から情報を読み取るディスク装置であって、
ディスク媒体に対して光ビームを照射する照射手段と、
前記照射手段により照射され、前記ディスク媒体から反射された反射光を検出する反射光検出手段と、
前記反射光検出手段により検出された反射光に基づき、前記情報記録面上のデータエリアに記録された記録マークに反映されたデータを読み取る第１の読取手段と、
前記検出手段により検出された反射光に基づき、前記情報記録面上の手書きエリアに記録された手書き情報の濃淡を読み取る第２の読取手段と、
を備えたことを特徴とするディスク装置。
【請求項５】
前記第１の読取手段は、前記反射光検出手段により検出された反射光に基づき、前記トラックに所定間隔で記録されたアドレス情報を読み取り、
前記第１の読取手段により読み取られた前記アドレス情報に基づき、前記アドレス情報に対応する位置から前記第２の読取手段により読み取られた手書き情報の濃淡を手書き情報として復元する復元手段を備えたことを特徴とする請求項４に記載のディスク装置。
【請求項６】
前記照射手段により照射される光ビームをディスクの半径方向に対して移動させる移動手段と、
前記移動手段による光ビームの移動量に基づき、前記光ビームの移動に対応して前記第２の読取手段により読み取られた手書き情報の濃淡を手書き情報として復元する復元手段と、
を備えたことを特徴とする請求項４に記載のディスク装置。
【請求項７】
前記ディスク媒体の情報記録面上から、前記データエリア及び前記手書きエリアを視覚的に区別する境界マークを検出する境界マーク検出手段を備え、
前記第１の読取手段は、前記境界マーク検出手段により検出された前記境界マークに基づき前記データエリアを判別し、このデータエリアに記録された前記記録マークに反映されたデータを読み取り、
前記第２の読取手段は、前記境界マーク検出手段により検出された前記境界マークに基づき前記手書きエリアを判別し、この手書きエリアに記録された手書き情報の濃淡を読み取る、
ことを特徴とする請求項４に記載のディスク装置。
【請求項８】
前記ディスク媒体の情報記録面上から、ディスク中心からの基準角を示す角度マークを検出する角度マーク検出手段を備え、
前記復元手段は、前記角度マーク検出手段により検出された前記角度マークに基づき、前記手書きエリアに記録された手書き情報を復元する、
ことを特徴とする請求項４に記載のディスク装置。
【請求項９】
スパイラル状のトラックが配置された情報記録面を備えたディスク媒体から情報を読み取る情報読取方法であって、
前記ディスク媒体からの反射光に基づき、前記情報記録面上のデータエリアに記録された記録マークに反映されたデータ、及び前記情報記録面上の手書きエリアに記録された手書き情報の濃淡を読み取ることを特徴とする情報読取方法。
【請求項１０】
前記反射光に基づき前記トラックに所定間隔で記録されたアドレス情報を読み取り、
この読み取られた前記アドレス情報に基づき、前記アドレス情報に対応する位置から読み取られた手書き情報の濃淡を手書き情報として復元する、
ことを特徴とする請求項９に記載の情報読取方法。
【請求項１１】
前記光ビームの半径方向に対する移動量に基づき、前記光ビームの移動に対応して読み取られた手書き情報の濃淡を手書き情報として復元することを特徴とする請求項９に記載の情報読取方法。
【請求項１２】
前記ディスク媒体の情報記録面上から、前記データエリア及び前記手書きエリアを視覚的に区別する境界マークを検出し、
前記境界マークに基づき前記データエリア及び前記前記手書きエリアを判別し、
前記データエリアから前記記録マークに反映されたデータを読み取り、前記手書きエリアから前記手書き情報の濃淡を読み取る、
ことを特徴とする請求項９に記載の情報読取方法。
【請求項１３】
前記ディスク媒体の情報記録面上から、ディスク中心からの基準角を示す角度マークを検出し、
前記角度マークに基づき前記手書きエリアに記録された手書き情報を復元する、
ことを特徴とする請求項９に記載の情報読取方法。
【請求項１４】
スパイラル状のトラックが配置された情報記録面と、
前記情報記録面上に規定されたエリアであって、このエリアの前記トラックに対して記録マークの記録が許可されたデータエリアと、
前記情報記録面上に規定されたエリアであって、固有識別情報の記録が許可された識別情報エリアと、
を備えたことを特徴とするディスク媒体。
【請求項１５】
スパイラル状のトラックが配置された情報記録面を備えたディスク媒体から情報を読み取るディスク装置であって、
ディスク媒体に対して光ビームを照射する照射手段と、
前記照射手段により照射され、前記ディスク媒体から反射された反射光を検出する反射光検出手段と、
前記反射光検出手段により検出された反射光に基づき、前記情報記録面上のデータエリアに記録された記録マークに反映されたデータを読み取る第１の読取手段と、
前記検出手段により検出された反射光に基づき、前記情報記録面上の識別情報エリアに記録された固有識別情報を読み取る第２の読取手段と、
前記第２の読取手段により読み取られた固有識別情報と、予め記憶された識別情報とを比較し、比較結果に基づきユーザを認証する認証手段と、
前記認証手段による認証結果に基づき各種動作を制御する制御手段と、
を備えたことを特徴とするディスク装置。
【請求項１６】
前記第１の読取手段は、前記反射光検出手段により検出された反射光に基づき、前記トラックに所定間隔で記録されたアドレス情報を読み取り、
前記第１の読取手段により読み取られた前記アドレス情報に基づき、前記アドレス情報に対応する位置から前記第２の読取手段により読み取られた固有識別情報を復元する復元手段を備えたことを特徴とする請求項１５に記載のディスク装置。
【請求項１７】
前記照射手段により照射される光ビームをディスクの半径方向に対して移動させる移動手段と、
前記移動手段による光ビームの移動量に基づき、前記光ビームの移動に対応して前記第２の読取手段により読み取られた固有識別情報を復元する復元手段と、
を備えたことを特徴とする請求項１５に記載のディスク装置。
【請求項１８】
スパイラル状のトラックが配置された情報記録面を備えたディスク媒体から情報を読み取る情報読取方法であって、
前記ディスク媒体から反射された反射光に基づき、前記情報記録面上のデータエリアに記録された記録マークに反映されたデータ、及び前記情報記録面上の識別情報エリアに記録された固有識別情報を読み取り、
前記読み取られた固有識別情報と、予め記憶された識別情報とを比較し、比較結果に基づきユーザを認証し、
ユーザの認証結果に基づき各種動作を制御する、
ことを特徴とする情報読取方法。
【請求項１９】
前記反射光に基づき前記トラックに所定間隔で記録されたアドレス情報を読み取り、この読み取られた前記アドレス情報に基づき、前記アドレス情報に対応する位置から読み取られた固有識別情報を復元することを特徴とする請求項１８に記載の情報読取方法。
【請求項２０】
前記光ビームの半径方向に対する移動量に基づき、前記光ビームの移動に対応して読み取られた固有識別情報を復元することを特徴とする請求項１８に記載の情報読取方法。
【発明の詳細な説明】
【０００１】
【発明の属する技術分野】
この発明は、スパイラル状のトラックが配置された情報記録面を備えたディスク媒体に関する。また、この発明は、このようなディスク媒体から情報を読み出すディスク装置及び情報読取方法に関する。
【０００２】
【従来の技術】
近年、ディスク媒体の普及が目覚しい。ディスク装置は、ディスク媒体に対して再生用の光ビームを照射し、ディスク媒体からの光ビームの反射光を検出する。反射光には、ディスク媒体に記録された記録マークが反映されている。即ち、反射光の検出結果から、ディスク媒体に記録された記録マークを読み出すことができる。また、ディスク装置は、ディスク媒体に対して記録用の光ビームを照射し、ディスク媒体に対して記録マークを記録することができる。
【０００３】
このように、ディスク装置により、ディスク媒体に対して情報を記録したり、ディスク媒体に記録された情報を読み出したりすることができる。別の言い方をすると、ディスク装置により記録された情報でなければ、ディスク装置では読み出せない。
【０００４】
近年、ディスク装置を用いることなくディスク媒体に対して記録された情報をディスク装置により読み出せるような環境の登場が望まれている。例えば、ディスク装置を用いることなく目視にて認識可能な情報をディスク装置により記録する技術が開示されている（特許文献１）。
【０００５】
【特許文献１】
特開平１０−１６２４９５
【０００６】
【発明が解決しようとする課題】
しかし、特許文献１に開示されている技術は、ディスク装置により記録された情報を、ディスク装置を用いることなく読み出せる技術であり、上記した要望を満たすことはできない。
【０００７】
この発明の目的は、上記したような事情に鑑み成されたものであって、ディスク装置を用いて記録された情報とディスク装置を用いることなく記録された情報とを共存させることが可能なディスク媒体を提供することにある。さらに、ディスク装置を用いることなく記録された情報を読み取ることが可能なディスク装置及び情報読取方法を提供することにある。
【０００８】
【課題を解決するための手段】
上記課題を解決し目的を達成するために、この発明のディスク媒体、ディスク装置、及び情報読取方法は、以下のように構成されている。
【０００９】
（１）この発明のディスク媒体は、スパイラル状のトラックが配置された情報記録面と、前記情報記録面上に規定されたエリアであって、このエリアの前記トラックに対して記録マークの記録が許可されたデータエリアと、前記情報記録面上に規定されたエリアであって、手書き情報の記録が許可された手書きエリアと、を備えている。
【００１０】
（２）この発明は、スパイラル状のトラックが配置された情報記録面を備えたディスク媒体から情報を読み取るディスク装置であって、ディスク媒体に対して光ビームを照射する照射手段と、前記照射手段により照射され、前記ディスク媒体から反射された反射光を検出する反射光検出手段と、前記反射光検出手段により検出された反射光に基づき、前記情報記録面上のデータエリアに記録された記録マークに反映されたデータを読み取る第１の読取手段と、前記検出手段により検出された反射光に基づき、前記情報記録面上の手書きエリアに記録された手書き情報の濃淡を読み取る第２の読取手段と、を備えている。
【００１１】
（３）この発明は、スパイラル状のトラックが配置された情報記録面を備えたディスク媒体から情報を読み取る情報読取方法であって、前記ディスク媒体からの反射光に基づき、前記情報記録面上のデータエリアに記録された記録マークに反映されたデータ、及び前記情報記録面上の手書きエリアに記録された手書き情報の濃淡を読み取る。
【００１２】
【発明の実施の形態】
以下、この発明の第１の実施形態について図面を参照して説明する。
【００１３】
図１は、この発明の第１の実施形態に係るディスク媒体を示す図である。図１に示すように、ディスク媒体は、情報記録面１０１を備えている。情報記録面１０１には、スパイラル状のトラックが配置されている。トラックには、所定の間隔でセクタアドレスが記録されている。また、情報記録面１０１上には、データエリア１０２が規定されている。このデータエリア１０２におけるトラックに対して記録マークの記録が許可されている。さらに、情報記録面１０１上には、手書きエリア１０３が規定されている。この手書きエリア１０３におけるトラックに対して記録マークの記録は許可されていないが、この手書きエリア１０３には手書き情報の書込みが許可されている。
【００１４】
ディスク媒体は、例えばＣＤ−Ｒである。図１に示すように、例えば、データエリア１０２はディスク媒体の内周側に配置されており、手書きエリア１０３はディスク媒体の外周側に配置されている。これにより、ディスク媒体に、余裕のある手書きエリア１０３を持たせることができる。また、データエリア１０２をディスク媒体の外周側に配置し、手書きエリア１０３をディスク媒体の内周側に配置するようにしてもよい。これにより、データエリア１０２の記憶容量に余裕を持たせることもできる。例えば、データエリア１０２と手書きエリア１０３の反射率を変えて、肉眼で両エリアを識別可能としている。
【００１５】
手書きエリア１０３には、手書き文字の記入が可能である。手書き文字は、例えばホワイトボードマーカ又はマーカーペンのようにディスク媒体の下地が透けて見えるインクを使用する。
【００１６】
この発明のディスク媒体は、ＣＤ−Ｒだけに限定されるものではなく、例えばＣＤ−ＲＯＭ、ＤＶＤ−Ｒでもよい。
【００１７】
図２は、この発明の第１の実施形態に係るディスク装置の概略構成を示す図である。図２に示すように、ディスク装置は、光ピックアップヘッド（ＰＵＨ）２０１、光検出部２０２、データ読取部２０３、データ記憶部２０４、通信制御部２０５、アドレス取得部２０６、制御部２０７、フィードモータ駆動部２０８、画素読取部２０９、画素記憶部２１０を備えている。
【００１８】
光ピックアップヘッド２０１は、ディスク媒体に対して光ビームを照射する。光検出部２０２は、光ピックアップヘッド２０１から照射され、ディスク媒体から反射された反射光の変化量を検出する。つまり、光検出部２０２は、検出した反射光の変化量を電気信号に変換し出力する。
【００１９】
データ読取部２０３は、光検出部２０２により検出された反射光の変化量に基づき、情報記録面１０１上のデータエリア１０２のトラックに記録された記録マークに反映されたデータを読み取る。また、データ読取部２０３は、光検出部２０２により検出された反射光の変化量に基づき、情報記録面１０１中のトラックに記録されたセクタアドレスも読み出す。つまり、データ読取部２０３は、光検出部２０２から出力される電気信号から記録マークに対応するデータ列及びセクタアドレスに対応するデータ列を生成する。データ記憶部２０４は、データ読取部２０３で生成される記録マークに対応するデータ列を記憶する。データ記憶部２０４に記憶されたデータは、ホストコンピュータからの要求に従い、通信制御部２０５を経由してホストコンピュータに送信される。
【００２０】
画素読取部２０９は、光検出部２０２により検出された反射光の変化量に基づき、情報記録面１０１上の手書きエリア１０３に記録された手書き情報を構成する画素を読み取る。つまり、画素読取部２０９は、光検出部２０２から出力される電気信号から手書き情報を構成する画素の濃淡を読み取る。この画像読取部２０９により読み取られる画素データは、制御部２０７からの要求に基づき、画素記憶部２１０に記憶される。
【００２１】
また、アドレス取得部２０６は、データ読取部２０３で生成されるセクタアドレスに対応するデータ列から、アドレス情報を取得する。取得されたアドレス情報は、制御部２０７に供給される。制御部２０７は、アドレス情報に基づき各種動作を制御する。例えば、制御部２０７は、フィードモータ駆動部２０８を制御し、光ピックアップヘッド２０１をディスク媒体の半径方向に対して移動させる。これに伴い、光ピックアップヘッド２０１から照射される光ビームは、ディスク媒体の半径方向に対して移動させられ、光ビームはディスク媒体上の目的位置を照射する。
【００２２】
制御部２０７の制御により目的位置に光ビームが照射されれば、この照射に対応して読取部２０９により読み取られる画素データを画像記憶部２１０に記憶させる。このとき、アドレス情報と、このアドレス情報に対応する位置から読み出された画素データとを対応付けて記憶させる。画素記憶部２１０に記憶された画素データは、ホストコンピュータからの要求に従い、通信制御部２０５を経由してホストコンピュータに送信される。このとき、画素記憶部２１０は、画素データに対応付けられているアドレス情報に基づき、画素データを読み出す。つまり、画素記憶部２１０は、画素データに対応付けられているアドレス情報に基づき、画素データから画像データを復元し出力する。
【００２３】
図３は、手書きエリア１０３から手書き文字又は模様等を読み取る読取処理を説明するためのフローチャートである。
【００２４】
例えば、ディスク装置に対してディスク媒体が挿入されると、制御部２０７は、データエリア１０２をリードするための準備動作を実行し、さらに図３に示す読取処理を実行する。制御部２０７は、準備動作の実行により、ディスク媒体の情報記録面１０１のどこにデータエリア１０２が存在し、どこに手書きエリア１０３が存在するかを検出する（ＳＴ３０１）。例えば、情報記録面の特定の位置には、ファイルアロケーションデータが記録されており、このファイルアロケーションデータを読み取ることにより、データエリア１０２の位置を示すアドレス情報、及び手書きエリア１０３の位置を示すアドレス情報を入手することができる。或いは、ディスクが媒体が、ＣＤ−Ｒの場合には、最後のリードアウト開始アドレス＋１２０秒として計算できる。
【００２５】
手書きエリア１０３の開始アドレスから手書き文字又は模様等を取り込むためのラスタの始点、終点、並びに手書き領域を走査する各ラスタのフレームを単位とする始点、終点を求める（ＳＴ３０２）。ＣＤ−Ｒ（ＣＤ−ＲＯＭ、ＤＶＤ−Ｒ等も同様）は、トラックがらせん状に配置されている。所定のトラック長で形成される１セクタの長さ（セクタ長）、トラック幅は決められている。このため、各セクタに割り当てられるセクタアドレスとディスク上の半径（ある位置を基点とする）角度は一対一に対応する。ＣＤの場合、トラック間隔（半径方向の解像度）は１．６ｕｍであり、手書き文字又は模様等を読み取るには十分な解像度である。しかし、１セクタ長（円周方向の解像度）は約１７．３ｍｍであり、手書き文字又は模様等を読み取るには十分な解像度とは言えない。よって１セクタより小さい単位を採用する。例えば、９８個のＦ３フレームを単位として、その位置によって各ラスタの始点・終点を表記する。以後の説明で単にアドレスといえば、１セクタの１／９８の大きさを持つＦ３フレームを単位とするアドレスの意味である。
【００２６】
図４は、ドライブ装置が各ラスタに相当する開始・終了アドレスを作成・保持する時の形式を表している。各ラスタの開始アドレスは、ディスクの中心から最外周に至る一本の直線上に並び、かつその間隔が規定量（例えばトラック６２本分）になるように選ぶ。また終了アドレスは各対応する開始アドレスからトラックをちょうど一周した次のアドレスになるように選ぶ。
【００２７】
次にラスタを数える内部カウンタである「目的ラスタ」を先頭ラスタに合わせる（ＳＴ３０３）。例えば、この値は０である。
【００２８】
内部カウンタ（目的ラスタ）がラスタ数に等しい、即ち全てのラスタの濃淡データを収集したら、ラスタデータ取得を終了する（ＳＴ３０４）。
【００２９】
全てのラスタの濃淡データを収集していないなら、フレーム始点のアドレスを内部カウンタ（目的アドレス）に入れる（ＳＴ３０５）。
【００３０】
そして今回のラスタの開始フレームの少し手前に光ピックアップヘッド２０１を移動する（ＳＴ３０６）。即ちシークを行う。少し手前とは、目的アドレスが指す位置までトラックオンのまま待つだけで十分早く到達できる位置である。
【００３１】
続いて一本のラスタの収集を行う。まず内部カウンタ（目的アドレス）が目的ラスタの終了アドレスに一致するかどうか調べる（ＳＴ３０７）。終了アドレスに一致する場合は一本のラスタの収集を終了している（後述）。
【００３２】
目的アドレスが終了アドレスに一致しない場合は、続いて現在アドレスが目的アドレスに一致するのを待つ（ＳＴ３０８）。ここで現在アドレスとはアドレス取得部２０６が制御部２０７に示すアドレスである。
【００３３】
現在アドレスが目的アドレスに一致したら、その場での濃淡情報を取得し記憶する（ＳＴ３０９）。この濃淡情報は画素読取部２０９から得られる。記憶する形式は、例えば図５に示すように、ラスタごとに可変の配列を準備し、ここに各アドレスに対応する濃淡情報を格納する。
【００３４】
また画素をモノクロ画像として捉える場合は図５に示すように、０、１のいずれかでよいが、グレイスケールで画素を記録する場合はある自然数で濃淡情報を記録することになる。
【００３５】
次に目的アドレスを一つ進める。実際にはインクリメントを行う（ＳＴ３１０）。そしてＳＴ３０７に戻り１ラスタのデータを取得したかどうかを確認する。
【００３６】
ＳＴ３０７において１ラスタの全データを取得したら、目的ラスタをインクリメントし（ＳＴ３１１）、ＳＴ３０４に戻って最終ラスタまで取り込んだかどうかを調べる。
【００３７】
なお、ホストコンピュータの求めに応じて手書き文字又は模様等データをホストコンピュータに送信する方法については内臓データをホストコンピュータに送信する一般的技術によって構築されている。
【００３８】
上記説明したように、本発明によればディスクの外周部（又は内周部）に書かれた手書き文字又は模様等をドライブ装置を通じてホストコンピュータが取得することが出来る。よって、使用者がディスク面を見るのと同様の画像をコンピュータの画面に映すことができ、手書き文字を使用者認証用のサインとして使用することができる。これにより、ディスク媒体の真贋を判定するといった応用が可能となる。
【００３９】
次に、境界マーキングについて説明する。図６は、この発明の第１の実施形態に係るディスク媒体を示す図であって、境界マーキングを備えたディスク媒体の一例を示す図である。境界マーキング６０１は、データエリア１０２と手書きエリア１０３の間に配置され、両エリアの境界を示す。境界マーキング６０１は、使用者がはっきり認識できる色及び幅で構成される。例えば、境界マーキング６０１は、ミラーである。使用者は、この境界マーキング６０１により、データエリア１０２と手書きエリア１０３の境界を認識できる。例えば、境界マーキング６０１より内側がデータエリア１０２であり、ディスクにもそのようにサイズが記載される。境界マーキング６０１から外側は手書きエリア１０３で、使用者はこの手書きエリア１０３に対して任意の文字又は模様等を下地の見えるインクを用いて書くことができる。
【００４０】
また、データ読取部２０３又は画素読取部２０９は、光検出部２０２により検出された反射光の変化量に基づき、境界マーキング６０１を検出することができる。境界マーキング６０１の検出結果に基づき、データエリア１０２と手書きエリア１０３を区別し、データエリア１０２に記録された記録マークの読み取り、及び手書きエリア１０３に記録された手書き情報の読み取りが可能である。
【００４１】
また、このケースでは、図３に示すＳＴ３０１において、次のように手書きエリア開始位置が検出されることになる。つまり、データエリアの終点から境界マーキング６０１の距離だけ外周側に離れた位置が、手書きエリア１０３の開始位置として検出されることになる。
【００４２】
本発明によれば、使用者は、明らかに分かる色の境界マーキング６０１の外側に文字又は模様等を書くことが出来きる。つまり、視認性、利便性が向上する。
【００４３】
次に、角度マーキングについて説明する。図７は、この発明の第１の実施形態に係るディスク媒体を示す図であって、境界マーキング及び角度マーキングを備えたディスク媒体の一例を示す図である。
【００４４】
図７に示すように、角度マーキング７０１は、例えば手書きエリア１０３に記録される。使用者は、角度マーキング７０１の働きにより、下地が見えなくなるようなインクで文字又は模様等を書き込むことが出来る。
【００４５】
角度マーキング７０１は同期信号として機能し、手書きの文字又は模様等と区別できるよう細かいパターンで構成されている。角度マーキング７０１の同期信号を半径方向で変化させ、光ピックアップヘッド２０１がディスク媒体に対してどの位置にあるかをドライブ装置に伝えるようにすることもできる。本実施形態では、ディスクの半径方向に対して均一に記録された角度マーキング７０１について説明する。使用者は、この角度マーキング７０１を汚さないように注意する。  データ読取部２０３又は画素読取部２０９は、光検出部２０２により検出された反射光の変化量に基づき、角度マーキング７０１を検出することができる。角度マーキング７０１は、ディスク中心からの基準角を示す。つまり、画素記憶部２１０が、画素データに対応付けられているアドレス情報に基づき、画素データから画像データを復元し出力するとき、角度マーキング７０１の検出結果を利用してさらに精度よく画像データを復元することができる。
【００４６】
図８は、図７に示すディスク媒体の手書きエリア１０３から手書き文字又は模様等を読み取る読取処理を説明するためのフローチャートである。
【００４７】
例えば、ディスク装置は、ディスク媒体のデータエリア１０２を読み取った後、手書きエリア１０３を読み取る。なお、図８に示す読取処理を実行するにあたり、ディスクのスピンドルモータは（比較的遅い）一定速度で回転する。図８に示す読取処理を実行している期間を通じて、スピンドルモータの回転速度は変わらないものとする。
【００４８】
まず、手書きエリア１０３の開始位置を求める（ＳＴ８０１）。手書きエリア１０３の開始位置はデータエリア１０２の終点から境界マーキング６０１の幅（＋α）だけ外周側の位置である。
【００４９】
次に、光ピックアップヘッド２０１の現在位置を基点とした相対的フィードモータ動作量から、後で取得する手書き文字又は模様等のラスタ情報を取得する場所を求める（ＳＴ８０２）。
【００５０】
次に、内部変数（目的ラスタ）に先頭ラスタの番号を代入する（ＳＴ８０３）。
【００５１】
次に、目的ラスタと最終ラスタの値を比較し、全ラスタを既に調べたかどうかを調べる（ＳＴ８０４）。全ラスタを調べ終わったなら終了する。
【００５２】
次に、光ピックアップヘッド２０１を目的ラスタの示す位置へ移動し、トラッキングサーボをオフする（ＳＴ８０５）。光ピックアップヘッド２０１を移動するにはフィードモータ駆動部２０８に移動の指示を行えばよい。またトラッキングサーボをオフにすることでディスクの記録状態に従い光ピックアップヘッド２０１が勝手に移動することを防止する。
【００５３】
次に、同期信号の取得を待つ（ＳＴ８０６）。同期信号を取得するとは、光ピックアップヘッド２０１（データ読取部２０３又は画素読取部２０９）が角度マーキング７０１を検出することを意味する。同期信号の取得時刻を始点としてラスタを取得すれば、横方向にブレのない手書き文字又は模様等のデータを得ることができる。
【００５４】
次に、内部変数（現在カウンタ）をクリアする（ＳＴ８０７）。このカウンタは例えば３６００までカウントアップし（角度の一分刻みで一周分）、取得済み画素の数を保持する。
【００５５】
次に、現在カウンタが規定値（例えば３６００）に達したかどうかを調べる（ＳＴ８０８）。規定値に達したら次のラスタ取得に移行する（後述）。
【００５６】
現在カウンタが規定値に達しない場合は濃淡情報を取得して記憶する（ＳＴ８０９）。濃淡情報は、例えば図５に示すようにして記憶されるが、ラスタ毎の画素数は一定である。
【００５７】
次に、規定の待ち時間が経過するまで待つ（ＳＴ８１０）。ディスク装置は現在のディスク回転数でディスクが例えば１分の角度だけ回転する時間を知っている。ＳＴ８１０ではこの時間の待ちを行う。
【００５８】
次に内部変数（現在カウンタ）をインクリメントし（ＳＴ８１１）、ＳＴ８０８に戻って次の画素を取り込むべきかどうかを判断する。
【００５９】
さて、１ラスタ分のデータを取得し終えたら、内部変数（目的ラスタ）をインクリメントし（ＳＴ８１２）、ＳＴ８０４に戻って全ラスタの取得を終えたかどうかを調べる。
【００６０】
本発明によれば、手書き文字又は模様等を書くことによって下地が見えなくなってもその文字又は模様等を読み取ることが可能である。さらに角度マーキング７０１の存在によって横方向に完全に揃ったラスタデータを得ることができる。
【００６１】
上記説明では、図２に示すディスク装置は、データ読取部２０３及び画素読取部２０９を備え、データ読取部２０３がデータエリア１０２のトラックに記録された記録マークを読み取り、画素読取部２０９が手書きエリア１０３に記録された手書き情報を構成する画素を読み取るものとした。この発明のディスク装置の構成は、これに限定されるものではなく、例えば、図９に示すように構成してもよい。図９に示すディスク装置は、光ピックアップヘッド（ＰＵＨ）９０１、光検出部９０２、データ読取部９０３、データ記憶部９０４、通信制御部９０５、アドレス取得部９０６、制御部９０７、フィードモータ駆動部９０８、画素記憶部９１０を備えている。図２に示すディスク装置のデータ読取部２０３及び画素読取部２０９の機能は、図９に示すディスク装置のデータ読取部９０３単独で実現される。
【００６２】
データ読取部９０３は、光検出部９０２により検出された反射光の変化量に基づき、情報記録面１０１上のデータエリア１０２のトラックに記録された記録マークに反映されたデータを読み取る。また、データ読取部９０３は、光検出部９０２により検出された反射光の変化量に基づき、情報記録面１０１中のトラックに記録されたセクタアドレスも読み出す。つまり、データ読取部２０３は、光検出部９０２から出力される電気信号から記録マークに対応するデータ列及びセクタアドレスに対応するデータ列を生成する。さらに、データ読取部９０３は、光検出部９０２により検出された反射光の変化量に基づき、情報記録面１０１上の手書きエリア１０３に記録された手書き情報を構成する画素を読み取る。つまり、データ読取部９０３は、光検出部９０２から出力される電気信号から手書き情報を構成する画素の濃淡を読み取る。データ読取部９０３は、ＲＦスライスレベルを利用して、光検出部９０２から出力される電気信号を２値化し、画素の濃淡を読み取る。ＲＦスライスレベルは、光検出部９０２から出力されるアナログのＲＦ信号を二値化するための閾値である。ＲＦスライスレベルは、ＲＦ信号の振幅より長い所定の時定数をもってその時点でのＲＦ信号の平均値に追随する性質を持つ。よって手書き文字のように荒いパターンの場合、ＲＦスライスレベルは文字や模様等の濃淡に追随する。このＲＦスライスレベルをデジタル値として記録することによって画素情報として利用可能となる。
【００６３】
図９に示すディスク装置による読取処理は、図３及び図８に示すフローチャートで実現される。但し、画素読取部２０９をデータ読取部９０３と読み替える必要がある。
【００６４】
図９に示すディスク装置によれば、データ読取部９０３単独で、データエリア１０２のトラックに記録されたデータ、及び手書きエリア１０３に記録された手書き情報を読み取ることができる。つまり、図２に示すディスク装置よりも低コストなディスク装置を実現することができる。
【００６５】
なお、上記説明では、トラックに所定間隔で記録されたアドレス情報（セクタアドレス）に基づき、手書き情報の濃淡を構成する画素の位置を特定し、手書き情報を復元するケースについて説明した。つまり、画素記憶部２１０が、アドレス情報に基づき、手書き情報を復元するケースについて説明した。但し、この発明はこれに限定されるものではない。例えば、光ピックアップヘッド２０１の送り量（光ビームの半径方向に対する移動量）に基づき、手書き情報の濃淡を構成する画素の位置を特定し、手書き情報を復元するようにしてもよい。つまり、画素記憶部２１０が、光ピックアップヘッド２０１の送り量に基づき、手書き情報を復元するようにしてもよい。
【００６６】
光ピックアップヘッド２０１は、フィードモータ駆動部２０８によりディスク媒体の半径方向に対して移動させられる。フィードモータ駆動部２０８は、制御部２０７からの指示に基づき、光ピックアップヘッド２０１を駆動させる。即ち、制御部２０７は光ピックアップヘッド２０１の送り量を管理することが可能であり、制御部２０７により管理される送り量に基づき、手書き情報の濃淡を構成する画素の位置が特定される。さらに、角度マーキング７０１も併用すれば、より確実な画素位置の特定が可能となる。
【００６７】
上記説明した発明（第１の実施形態）の作用効果についてまとめる。
【００６８】
従来、光ディスクにデータを記録するにはディスク装置が必要であり、読み出すにもディスク装置が必要であった。即ちディスク装置を持たない者は、ディスク媒体にメッセージを記録したり読み出したりすることが出来なかった。また記録された情報も、ディスク装置という手段を経ないと読み出すことが出来なかった。
【００６９】
次に、この発明の第２の実施形態について図面を参照して説明する。
【００７０】
図１０は、この発明の第２の実施形態に係るディスク媒体を示す図である。図１０に示すように、ディスク媒体は、情報記録面１００１を備えている。情報記録面１００１には、スパイラル状のトラックが配置されている。トラックには、所定の間隔でセクタアドレスが記録されている。また、情報記録面１００１上には、データエリア１００２が規定されている。このデータエリア１００２におけるトラックに対して記録マークの記録が許可されている。さらに、情報記録面１００１上には、識別情報エリア１００３が規定されている。この識別情報エリア１００３には固有の識別情報の記録が許可されている。固有識別情報として指紋を利用する場合には、指紋の押し付けが許可される。固有の識別情報としてサインを利用する場合には、サインの書込みが許可される。
【００７１】
図１１は、識別情報エリア１００３に押し付けられた固有識別情報（指紋）の検出を説明するための図である。図１２は、この発明の第２の実施形態に係るディスク装置の概略構成を示す図である。
【００７２】
図１２に示すように、ディスク装置は、光ピックアップヘッド（ＰＵＨ）１２０１、光検出部１２０２、データ読取部１２０３、制御部１２０４、フィードモータ駆動部１２０５、パターン検出部１２０６、パターン比較部１２０７、マイクロコンピュータ１２０８、記憶部１２０９、インターフェース１２１０を備えている。
【００７３】
光ピックアップヘッド１２０１は、ディスク媒体に対して光ビームを照射する。光検出部１２０２は、光ピックアップヘッド１２０１から照射され、ディスク媒体から反射された反射光の変化量を検出する。つまり、光検出部１２０２は、検出した反射光の変化量を電気信号に変換し出力する。
【００７４】
データ読取部１２０３は、光検出部１２０２により検出された反射光の変化量に基づき、情報記録面１００１上のデータエリア１００２のトラックに記録された記録マークに反映されたデータを読み取る。また、データ読取部１２０３は、光検出部１２０２により検出された反射光の変化量に基づき、情報記録面１００１中のトラックに記録されたセクタアドレスも読み出す。さらに、データ読取部１２０３は、光検出部１２０２により検出された反射光の変化量に基づき、情報記録面１００１の識別情報エリア１００３に記録された固有識別情報を構成する画素も読み出す。
【００７５】
制御部１２０４は、データ読取部１２０３により読み取られたセクタアドレスに基づき各種動作を制御する。例えば、制御部１２０４は、フィードモータ駆動部１２０５を制御し、光ピックアップヘッド１２０１をディスク媒体の半径方向に対して移動させる。これに伴い、光ピックアップヘッド１２０１から照射される光ビームは、ディスク媒体の半径方向に対して移動させられ、光ビームはディスク媒体上の目的位置を照射する。
【００７６】
パターン検出部１２０６は、図１１に示すように、データ読取部１２０３により読み取られた画素からを固有識別情報のパターンを検出する。記憶部１２０９は、予め識別情報のパターンを記憶する。パターン比較部１２０７は、マイクロコンピュータ１２０８を経由して記憶部１２０９から読み出された識別情報のパターンと、ディスク媒体の識別情報エリア１００３から読み出された固有識別情報のパターンとを比較する。マイクロコンピュータ１２０８は、両パターンの比較結果を、インターフェース１２１０を介してホストコンピュータ１２１１へ通知する。
【００７７】
つまり、ディスク媒体の識別情報エリア１００３から読み出された固有識別情報のパターンが、予め記憶されていた固有識別情報のパターンと一致すれば、ディスク媒体へのアクセスが許可される。或いは、ドライブ装置の使用が許可される。逆に、ディスク媒体の識別情報エリア１００３から読み出された固有識別情報のパターンが、予め記憶されていた固有識別情報のパターンと一致しなければ、ディスク媒体へのアクセスは拒絶される。或いは、ドライブ装置の使用が拒絶される。
【００７８】
以下、認証手続についてまとめる。
【００７９】
ディスク媒体を使用する場合、このディスク媒体の使用者は、ディスク媒体の識別情報エリア１００３に固有識別情報を記録する。例えば、指紋を押し付ける。
【００８０】
このディスク媒体が、図１２に示すディスク装置に挿入されると、ディスク装置は、最初にこのディスク媒体の識別情報エリア１００３を含むトラックに沿って記録されているデータのＲＦ信号のエンベロープを接線方向の基準位置から検出する。この検出動作を各トラックあるいは複数トラックに１回行い、このエリアを通り過ぎるまで繰り返す。これにより、パターン検出部１２０６により固有識別情報のパターンが検出される。検出された固有識別情報のパターンは、パターン比較部１２０７に供給される。
【００８１】
パターン比較部１２０７は、読み取られた固有識別情報のパターンと、記憶部に記憶されていた識別情報のパターンとを比較する。パターン比較部１２０７により両パターンの一致が確認された場合（ユーザが認証された場合）、マイクロコンピュータ１２０８に両パターンの一致が通知される。両パターンの一致の通知を受けたマイクロコンピュータ１２０８は、ディスク媒体へのアクセスを許可し、ホストコンピュータ１２１１から送信されるコマンドに基づきディスク媒体へアクセスを実行する。
【００８２】
パターン比較部１２０７により両パターンの一致が確認されない場合（ユーザが認証されない場合）、マイクロコンピュータ１２０８に両パターンの不一致が通知される。両パターンの不一致の通知を受けたマイクロコンピュータ１２０８は、ホストコンピュータ１２１１から送信されるコマンドに対してエラーを返し、ディスク媒体へのアクセスを拒絶する。さらに、挿入されたディスク媒体を自動的に排出するように構成してもよい。
【００８３】
ディスク媒体の使用者は、そのディスク媒体を使用し終えたときに、識別情報エリア１００３の情報を拭き取って保管する。これにより、他者がこのディスク媒体を勝手に使用することはできなくなる。即ち、このディスク媒体及びディスク装置を利用することにより、重要情報、機密情報を安全に保管することができる。
【００８４】
上記説明では、ディスク装置のマイクロコンピュータ１２０８が、両パターンの一致又は不一致の通知を受け取り、ディスク装置がディスク媒体へのアクセスを制御するケースについて説明したが、この発明はこれに限定されるものではない。つまり、ディスク装置のマイクロコンピュータ１２０８は、両パターンの一致又は不一致の通知を受け取り、さらにマイクロコンピュータ１２０８が、両パターンの一致又は不一致の通知をホストコンピュータ１２１１に通知するようにしてもよい。この場合、ホストコンピュータ１２１１が、ディスク媒体へのアクセスを制御することになる。
【００８５】
ここで、ディスクに付けられた固有識別情報の復元方法について説明する。図１１に示すように、光ピックアップヘッド１２０１の送り量（光ビームの半径方向に対する移動量）に基づき、固有識別情報を構成する画素の位置を特定し、固有識別情報を復元することが可能である。つまり、パターン検出部１２０６が、光ピックアップヘッド１２０１の送り量に基づき、固有識別情報を復元することが可能である。また、トラックに所定間隔で記録されたアドレス情報（セクタアドレス）に基づき、固有識別情報を構成する画素の位置を特定し、固有識別情報を復元することも可能である。つまり、パターン検出部１２０６が、アドレス情報に基づき、固有識別情報を復元することも可能である。
【００８６】
また、この発明によれば、次のようなユーザ認証を提供することも可能となる。例えば、ディスク媒体の識別情報エリア１００３から読み出された固有識別情報のパターンを、このディスク媒体のデータエリア１００２のトラックにデジタルデータとして記録する。このディスク媒体へアクセスするには、このディスク媒体の識別情報エリア１００３に付けられた固有識別情報と、このディスク媒体のデータエリア１００２のトラックにデジタルデータとして記録された固有識別情報との一致を条件とする。これにより、例えば、ディスク装置に予め識別情報が用意されていなくても、ディスク媒体へのアクセスを容易に制限することができる。
【００８７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００８８】
【発明の効果】
この発明によれば、ディスク装置を用いて記録された情報とディスク装置を用いることなく記録された情報とを共存させることが可能なディスク媒体を提供できる。さらに、この発明によれば、ディスク装置を用いることなく記録された情報を読み取ることが可能なディスク装置及び情報読取方法を提供できる。
【図面の簡単な説明】
【図１】この発明の第１の実施形態に係るディスク媒体を示す図である。
【図２】この発明の第１の実施形態に係るディスク装置の概略構成を示す図である。
【図３】手書きエリアから手書き文字又は模様等を読み取る読取処理を説明するためのフローチャートである。
【図４】ドライブ装置に保持される、各ラスタに相当する開始・終了アドレスを示す図である。
【図５】ドライブ装置に保持される、ラスタ毎の各アドレスに対応する濃淡情報を示す図である。
【図６】この発明の第１の実施形態に係るディスク媒体を示す図であって、境界マーキングを備えたディスク媒体の一例を示す図である。
【図７】この発明の第１の実施形態に係るディスク媒体を示す図であって、境界マーキング及び角度マーキングを備えたディスク媒体の一例を示す図である。
【図８】図７に示すディスク媒体の手書きエリアから手書き文字又は模様等を読み取る読取処理を説明するためのフローチャートである。
【図９】この発明の第１の実施形態に係るディスク装置の別構成を示す図である。
【図１０】この発明の第２の実施形態に係るディスク媒体を示す図である。
【図１１】識別情報エリアに押し付けられた固有識別情報（指紋）の検出を説明するための図である。
【図１２】この発明の第２の実施形態に係るディスク装置の概略構成を示す図である。
【符号の説明】
１０１…情報記録面、１０２…データエリア、１０３…手書きエリア、６０１…境界マーキング、７０１…角度マーキング、２０１…光ピックアップヘッド（ＰＵＨ）、２０２…光検出部、２０３…データ読取部、２０４…データ記憶部、２０５…通信制御部、２０６…アドレス取得部、２０７…制御部、２０８…フィードモータ駆動部、２０９…画素読取部、２１０…画素記憶部、１００１…情報記録面、１００２…データエリア、１００３…識別情報エリア、１２０１…光ピックアップヘッド（ＰＵＨ）、１２０２…光検出部、１２０３…データ読取部、１２０４…制御部、１２０５…フィードモータ駆動部、１２０６…パターン検出部、１２０７…パターン比較部、１２０８…マイクロコンピュータ、１２０９…記憶部、１２１０…インターフェース
【図１】
2004213806.tif 000003
【図２】
2004213806.tif 000004
【図３】
2004213806.tif 000005
【図４】
2004213806.tif 000006
【図５】
2004213806.tif 000007
【図６】
2004213806.tif 000008
【図７】
2004213806.tif 000009
【図８】
2004213806.tif 000010
【図９】
2004213806.tif 000011
【図１０】
2004213806.tif 000012
【図１１】
2004213806.tif 000013
【図１２】
2004213806.tif 000014